(57)【要約】      （修正有）【課題】希釈液を押し出す力を抑え、希釈液体が四方へ飛び散ることを避け、且つ液体の状況を一層集中させることが出来る押し付け式ノズルの構造を提供する。【解決手段】押し付け式ノズルとＬ型導管と飛び散り防止カバーとを含む。押し付け式ノズルの先端に、押し付け式ノズル内の流通路と相互連通する収容部がある。Ｌ型導管の一端は連接管口であり、他端は押し出し管口であり、Ｌ型導管内の流通路と相互連通する。Ｌ型導管内の流通路の折れ曲がったところに分流柱体を設置し、Ｌ型導管は連接管口を通して押し付け式ノズルの収容部内に挿設され、Ｌ型導管の押し出し管口側には分流リブ構造がある。Ｌ型導管には外ねじ山が設置され、飛び散り防止カバーの内壁面には内ねじ山が設置され、外・内ねじ山によって、飛び散り防止カバーをＬ型導管にねじ付けて固定する。【選択図】図２
0003168152.tif 000002
【実用新案登録請求の範囲】
【請求項１】
押し付け式ノズルと、Ｌ型導管と、飛び散り防止カバーと、を含む、押し付け式ノズルの構造であって、
前記押し付け式ノズルの先端に収容部があり、且つ前記収容部は、前記押し付け式ノズル内の流通路と相互連通しており、
前記Ｌ型導管の一端は連接管口であり、他端は押し出し管口であり、更に前記連接管口及び前記押し出し管口は、Ｌ型導管内の流通路と相互連通し、且つＬ型導管内の流通路の折れ曲がったところに分流柱体を設置してあり、前記Ｌ型導管は、連接管口を通して、押し付け式ノズルの収容部の中に挿設してあり、前記Ｌ型導管の前記押し出し管口側には分流リブを設置してあり、
前記飛び散り防止カバー内には少なくとも一個の分流凸柱を設置し、前記分流凸柱の周縁には少なくとも一個以上の出水孔を貫通設置し、前記飛び散り防止カバーはＬ型導管の押し出し管口に結合されていることを特徴とする、押し付け式ノズルの構造。
【請求項２】
前記Ｌ型導管の押し出し管口には、外ねじ山を設置し、飛び散り防止カバーの内壁面には内ねじ山を設置し、前記外ねじ山と前記内ねじ山によって、飛び散り防止カバーがＬ型導管と相互締め付けて固定されることを特徴とする、請求項１に記載の押し付け式ノズルの構造。
【請求項３】
前記押し付け式ノズルは、Ｌ型導管と相互結合して一体をなすことを特徴とする、請求項１に記載の押し付け式ノズルの構造。
【考案の詳細な説明】
【技術分野】
【０００１】
本考案は、押し付け式ノズルの構造に係り、特に、液体を押し出す際の衝撃力を減らし、液体が過大衝撃力のためにあふれて吹き出すこと或いは不均衡状況を避けることの出来る押し付け式ノズルの構造に関するものである。
【背景技術】
【０００２】
現在、容器瓶には、既に押し付け式ノズル１が普遍的に使われており、一般の髪や皮膚に使われる清潔用品や保養品或いは飲食店で使われる調味材料など、到る所で押し付け式の容器瓶が使われ、押し付ける方式によって、軽くノズル１を押し付けるだけで、容器瓶の中の内容物を押し出すことができ、操作使用上、かなり便利である。
【０００３】
市販されている押し付け式ノズル１は非常に使いやすいが、それでも、使用に際して、尚不便なことがある、と言うのは、一般の容器瓶は主として希釈液体或いは濃い流体を入れることが多く、容器瓶の中身が濃い流体である場合、ユーザーがノズル１を押し付けると、濃い流体はゆっくりノズル１から押し出される。しかし、容器瓶の中身が希釈液体であった場合、ユーザーが希釈液体を容器（例えば、コップなど）の中に押し出すときは、先ずノズル１を押し付けると、希釈液が快速且つ大量に押しだされ（図１に示すように）、液体が四方に飛び散り、場合によっては、ノズル１へ跳ね返ることがあり、ユーザーにとっては、使用後も飛び散った液体の後始末をしなければならない。これによって分かるように、上述従来の方式には、尚幾多の欠点があり、よい設計とは言いがたく、改良がまたれていた。
本考案者は、上述従来方式に派生する各項の欠点に鑑み、極力新規改善を試み、且つ長年苦心研鑽の末、ついに本件押し付け式ノズルの構造の研究開発に成功した。
【考案の概要】
【考案が解決しようとする課題】
【０００４】
本考案の主要目的は、希釈液体を押し出すときの押し出し力を弱め、希釈液体が押し出し力が大きすぎるために四方へ飛び散ることを避け、且つ希釈液の出方が一層集中的になる押し付け式ノズルの構造を提供することにある。
【０００５】
本考案のもう一つの目的は、構造が簡単で、操作が簡易な、且つ快速に脱着出来、液体の流速を抑え、スムーズ且つ平均的に液体を内部の分流リブに導いて分布させることの出来る押し付け式ノズルの構造を提供することにある。
【課題を解決するための手段】
【０００６】
上述の目的を達成できる押し付け式ノズルの構造は、主として、押し付け式ノズルと、Ｌ型導管及び飛び散り防止カバーなどの構成部品によって構成される。前記押し付け式ノズルの先端には、収容部があり、且つ前記収容部は押し付け式ノズル内の流通路と連通している。前記Ｌ型導管の一端は連結管口であり、別の一端は押し出し管口である。前記連結管口と前記押し出し管口はＬ型導管内の流通路と連通し、且つ前記流通路の折れ曲がったところに分流柱体が設置してある。前記Ｌ型導管は、連接管口を通して押し付け式ノズルの収容部の中に挿接され、前記Ｌ型導管の前記押し出し口側には分流リブ構造が有る。
前記飛び散り防止カバー内には導流及び分流機能を有する数本の凸柱が設置してあり、前記分流凸柱の周縁には少なくとも一個以上の出水孔が穿設されている。前記飛び散り防止カバーは、Ｌ型導管の前記押し出し口に設置された８本の突出した分流リブに結合され、液体が平均的に導流されて押し出されるようにしてある。前記飛び散り防止カバーの内部には、内ねじ山が設けられ、Ｌ型導管と相互にネジ合わせて結合でき、押し付け式ノズルはＬ型導管と相互に一体となって結合されることが出来る。
【考案の効果】
【０００７】
本考案に係る押し出し式ノズルの改良構造は、その他従来の技術に比べ、下記のような長所が有る。
１．本考案は、あまり濃くない液体を押し出す時の押し出し力を抑え、希釈液体が過大な力によって四方へ飛び散ることを避ける事の出来る構造を提供する。
【０００８】
２．本考案は、構造が簡単で、操作が容易且つ速やかに取り外し取り付けの出来る押し出し式ノズル構造を提供し、分流リブを設置することによって、液体の流速を抑え、且つ液体がスムーズ且つ平均に内部に導流分布され、出水が一層集中され、導流と分流の優れた効能を有するものである。
【図面の簡単な説明】
【０００９】
【図１】従来ノズルの使用状態の説明図である。
【図２】本考案に係る押し付け式ノズル構造の斜視分解図である。
【図３】前記押し付け式ノズル構造の斜視結合図である。
【図４Ａ】前記Ｌ型導管の側断面図である。
【図４Ｂ】前記Ｌ型導管の底面図である。
【図５】前記押し付け式ノズルにＬ型導管を結合した実施状態の説明図である。
【図６】前記押し付け式ノズル構造にＬ型導管及び飛び散り防止カバーを結合した実施状態の説明図である。
【考案を実施するための形態】
【００１０】
図２及び図３を参照して、図２は本考案に係る押し付け式ノズル構造の斜視分解図であり、図３は本考案に係る押し付け式ノズル構造の斜視結合図である。図に示すように、本考案は、押し付け式ノズル２と、Ｌ型導管３と、飛び散り防止カバー４と、を含み、前記押し付け式ノズル２の前端には収容部２１があり、収容部２１は押し付け式ノズル２内の流通路２２と連通している。前記Ｌ型導管３の一端は連接管口３１であり、別の一端は押し出し管口３２である。しかも前記押し出し管口３２には外ねじ山３３が設置され、そして連接管口３１と押し出し管口３２はＬ型導管３内の流通路３４と対応し且つ連通している。更に流通路３４の折れ曲がったところに分流柱体３５が設置されている。Ｌ型導管３は、連接管口３１を通して押し付け式ノズル２の収容部２１の中に挿設してある。
【００１１】
前記飛び散り防止カバー４の内壁面には内ねじ山４１が設置され、且つ飛び散り防止カバー４内の中間のところに分流凸柱４２が設置され、更に分流凸柱４２の周縁に少なくとも一個以上の出水孔４３が環設貫通され、液体をここから押し出されるようになっている。飛び散り防止カバー４は内ねじ山４１とＬ型導管３の外ねじ山３３によってネジ付け結合されている。
【００１２】
図４Ａは本考案のＬ型導管の側断面図であり、図４Ｂは本考案のＬ型導管の底面図である。これらの二つの図を参照して、図に示すように、Ｌ型導管３の中には分流柱体３５が設けられ、分流柱体３５は、前記Ｌ型導管３の押し出し管口３２の中心線から偏り、連接管口３１により一層接近している。Ｌ型導管３の押し出し管口３２側には、更に複数の分流リブ３６が設けられ、図４Ｂで見れば、分流リブ３６はほぼ放射状を呈し、液体の流速を抑え、液体がスムーズ且つ平均的に導流され内部の分流リブ３６へ分布され、出水が一層集中的になり、分流リブ３６は導流と分流の優れた機能を持っているのである。
【００１３】
図５は本考案の押し出しノズルにＬ型導管を結合した実施状態の説明図である。図に示すように、ユーザーが押し出しノズルを押すと、容器瓶内の液体が押し出しノズル２の流通路２１を経由してＬ型導管３の流通路３４の中に速やかに流れ込む。この時、Ｌ型導管３の分流柱体３５及び分流リブ３６の設置によって、液体は分流柱体３５及び分流リブ３６によって分流導引される。分流リブ体３６は主として出水を一層集中させるためであり、分流リブ３６は導流と分流の優れた効能がある。そのあと、液体は飛び散り防止カバー４の出水孔４３から押し出される。
【００１４】
図６は本考案の押し付け式ノズル構造にＬ型導管及び飛び散り防止カバーを結合した実施状態の説明図である。前記液体は飛び散り防止カバー４の出水孔４３から押し出される。押し出された液体を幾つかに分流させる方式によって、大幅に液体が押し出される衝撃力を軽減し、液体の流量を減らし、液体が押し出されるとき四方へ飛び散る状況を避けることが出来る。飛び散り防止カバー４は、ねじ合せる方式でＬ型導管３に固定されているので、飛び散り防止カバー４を清掃するときは、簡単に飛び散り防止カバー４を取り外し、速やかに清掃することが出来、且つ押し出し式ノズル２はＬ型導管３と相互に一体となって結合することが出来る（図５を参照）。
【００１５】
上述詳細な説明は、本考案の実行可能な実施例の具体的説明である。ただし、前記実施例は本考案登録請求の範囲を制限するものではなく、凡そ本考案の技芸精神を逸脱せずになされる等価実施或いは変更は、全て本考案登録請求の範囲に含まれるものとする。
【符号の説明】
【００１６】
１    ノズル
２    押し付け式ノズル
２１  収容部
２２  流通路
３    Ｌ型導管
３１  連接管口
３２  押し出し管口
３３  外ねじ山
３４  流通路
３５  分流柱体
３６  分流リブ
４    飛び散り防止カバー
４１  内ねじ山
４２  分流凸柱
４３  出水孔
【図１】
0003168152.tif 000003
【図２】
0003168152.tif 000004
【図３】
0003168152.tif 000005
【図４Ａ】
0003168152.tif 000006
【図４Ｂ】
0003168152.tif 000007
【図５】
0003168152.tif 000008
【図６】
0003168152.tif 000009